(57)【要約】      （修正有）【課題】サブ画素を時系列的に切り換えてデータ線に供給するＬＣＤパネルの駆動回路において、輝度ばらつきを低減する。【解決手段】各走査線を走査する期間中に各走査線に走査信号を送信し、第１の走査線を走査する期間中に第１の順列によって複数のパネル制御信号を水平スイッチに送信し、及び第２の走査線を走査する期間中に第２の順列によって複数のパネル制御信号を水平スイッチに送信する工程を含み、ここで、第２の順列は第１の順列と異なる様にする。【選択図】図５
2006119602.tif 000002
【特許請求の範囲】
【請求項１】
走査線を有し、及びデータ信号を送るための少なくとも１つの水平スイッチを有するＬＣＤパネルの駆動方法であって、
各走査線を走査する期間中に各走査線に走査信号を送信し、
第１の走査線を走査する期間中に第１の順列によって複数のパネル制御信号を水平スイッチに送信し、及び
第２の走査線を走査する期間中に第２の順列によって複数のパネル制御信号を水平スイッチに送信する工程を含み、ここで、第２の順列は第１の順列と異なるＬＣＤパネルの駆動方法。
【請求項２】
複数のパネル制御信号の第１及び第２の順列が循環して順番に走査線に供給される請求項１に記載の方法。
【請求項３】
それぞれ２つの隣り合う走査線のパネル制御信号の順列が異なる請求項１に記載の方法。
【請求項４】
信号を入力するための複数の走査線と複数のデータ線を含む画素アレイ、
各走査線を走査する期間中に走査信号を走査線に送信するためのゲート駆動機、
データ信号のデータ線への移行を制御するための少なくとも１つの水平スイッチ、
第１の走査線を走査する期間中に複数のパネル制御信号を第１の順列によって水平スイッチに送信し、第２の走査線を走査する期間中に複数のパネル制御信号を第２の順列によって水平スイッチに送信するためのもので、第２の順列は第１の順列と異なるタイミングコントローラー、
を含む表示パネル。
【請求項５】
更にソース駆動機を含み、及びタイミングコントローラーが更にデータ信号をソース駆動機に送信し、前記ソース駆動機がデータ信号を順番に水平スイッチに送信する請求項４に記載の表示パネル。
【請求項６】
それぞれ２つの隣接する走査線の制御信号の順列が同じである請求項４に記載の表示パネル。
【発明の詳細な説明】
【技術分野】
【０００１】
本発明は液晶表示（ＬＣＤ）パネルの駆動方法に関する。例えば、表示制御信号の異なる順列による液晶表示パネルの駆動方法に関する。
【背景技術】
【０００２】
図１は、ＬＴＰＳ（低温ポリシリコン）ＬＣＤ（液晶表示）パネルの駆動回路の概略図を示す。タイミングコントローラー１０１は、ソースドライバー１０３にデータ信号を送信する。ソースドライバー１０３は、データ信号をデジタル信号からアナログ信号へ変換し、アナログ信号１１０及び１１１をそれぞれ水平スイッチ１０４及び１０５に送信する。タイミングコントローラー１０１はパネルコントロール信号ＣＫＨ１−ＣＫＨ３をレベルシフター１０２へ送信する。レベルシフター１０２はパネル制御信号ＣＫＨ１−ＣＫＨ３を増幅し、これらを水平スイッチ１０４及び１０５に送信する。
【０００３】
水平スイッチ１０４及び１０５の目的は、走査線を走査する期間中にデータ線（Ｒ１、Ｇ１、Ｂ１及びＲ２、Ｇ２、Ｂ２）を経てアナログデータ信号１１０及び１１１をＬＣＤの走査線の対応する画素に移すことである。例えば、水平スイッチ１０４はパネル制御信号ＣＫＨ１−ＣＫＨ３によって駆動される。低いパルスがＣＫＨ１上に現れると、アナログデータ信号１１０はデータ線Ｒ１を経て走査線の第１画素の赤色サブ画素に移される。低いパルスがＣＫＨ２上に現れると、アナログデータ信号１１０は、走査線の第１画素の緑色サブ画素に受け取られるようにデータ線Ｇ１に移される。低いパルスがＣＫＨ３上に現れると、走査線の第１画素の青色サブ画素に受け取られるようにデータ線Ｂ１に移される。図２は図１におけるパネル制御信号ＣＫＨ１−ＣＫＨ３の時系列を示す。図２に示されるように、各走査線のパネル制御信号の時系列は従来のＬＣＤパネルの走査回路では固定されている。
【０００４】
水平スイッチ１０５の操作は水平スイッチ１０４の走査と類似する。異なるのは、水平スイッチ１０５はアナログデータ信号を走査線の第１画素に移す代わりに、アナログデータ信号１１１を走査線の第２画素に移す点である。特定のパネル制御信号が低いときに正しいデータ信号が現れることを保証するためにタイミングコントローラーにはデータ写像機構が存在する。図１には２つだけの水平スイッチが示されているが、ＬＣＤパネルは少なくとも２つの水平スイッチが含まれる。
【０００５】
図１の駆動回路は低解像度ＬＣＤパネルに適している。ＬＣＤパネルの解像度が高くなるにつれ、水平スイッチはＩＣ（集積回路）チップの数を減らすために大きなものにしばしば集積される。図３は、このような高解像度ＬＴＰＳ  ＬＣＤパネルの駆動回路の概略図である。
【発明の開示】
【発明が解決しようとする課題】
【０００６】
図３における水平スイッチは図１における対応のものより大きい。各水平スイッチ３０４及び３０５は６つのパネル制御信号（ＣＫＨ１−ＣＫＨ６）によって制御され、６つのデータ線の展開を有する。水平スイッチ３０４はデータラインＲ１、Ｇ１、Ｂ１、Ｒ２、Ｇ２及びＢ２に接続されている。水平スイッチ３０５はデータ線Ｒ３、Ｇ３、Ｂ３、Ｒ４、Ｇ４及びＢ４に接続されている。しかしながら、３以上のデータ線を有する水平スイッチは輝度のばらつきという潜在的な問題を有する。このような水平スイッチを使用するＬＣＤパネルにおいては、（図２に示されるような）固定されたタイミング時系列及び寄生容量による連結効果のために、同じ諧調の隣接する縦線の間でわずかに輝度のばらつきが生じる。この問題はＬＣＤパネルに表示される画像の均一性に悪影響を与える。したがって、大きな水平スイッチの駆動に際しての均一性の問題を解決する方法が望まれている。
【課題を解決するための手段】
【０００７】
次の工程を含むＬＣＤパネルの駆動方法が提供される。すなわち、各走査線を走査する期間中に各走査線に走査信号を提供し、第１の走査線を走査する期間中に第１の順列によって複数のパネル制御信号を水平スイッチに送信し、及び第２の走査線を走査する期間中に第２の順列によって複数のパネル制御信号を水平スイッチに送信する。ここで、第２の順列は第１の順列と異なる。
【発明を実施するための最良の形態】
【０００８】
本発明の実施例（例示的な実施例）、その一例が図面に例示されているが、参照して詳細を説明する。
【０００９】
ＬＣＤパネルの従来の駆動方法は全ての走査線についてパネル制御信号の固定した時系列を使用する。これに対して、本明細書に開示される駆動方法は輝度のばらつきをなくすために互いに隣接する走査線において異なる時系列を使用する。
【００１０】
表１は開示される実施例に使用される時系列を示す。この実施例においては、３つのパネル制御信号（ＣＫＨ１−ＣＫＨ３）があり、この実施例はパネル制御信号の６つの順列を使用する。時系列は単にパネル制御信号の順列でよい。順列は循環して順番に行われる。例えば、走査線７は走査線１と同じ順列を、走査線８は走査線２と同じ順列を行うというように。図４は、他の方法における同じ時系列を示す。
【００１１】
【表１】
2006119602.tif 000003
【００１２】
表２は他の実施例における時系列を示す。この実施例においては、６つのパネル制御信号（ＣＫＨ１−ＣＫＨ６）がある。この実施例は表２に見られるように、６つのパネル制御信号の可能な順列の数７２０のうち８つだけを使用する。開示される実施例は、計器によって測定される輝度のばらつきが事前に決められたばらつきが肉眼で区別できない程度に減少した閾値より低くなる限りパネル制御信号のすべての可能な順列を使用する必要はない。
【００１３】
【表２】
2006119602.tif 000004
【００１４】
上記で検討した実施例においては、パネル制御信号は低い論理パルスで水平スイッチを切り替えると想定されている。本発明示は、パネル制御信号が高い論理パルスで水平スイッチを切り替える実施例も含む。
【００１５】
図５は、開示される実施例のＬＣＤパネルを駆動する方法の完全な流れを示すフローチャートである。この実施例の方法は次の工程を含む。
【００１６】
本発明の方法は、複数のパネル制御信号の全ての可能な順列のなかから少なくとも２つの順列を選ぶ工程５０２から始まる。工程５０６において、この方法は、選択された順列の循環した順番に応じて時系列のデータ写像を調整することを継続する。時系列はパネル制御信号を送信する。さらに、データ写像は、水平スイッチがデータ信号をその対応するデータラインに移すのを保証するために順列に応じて調整される。さらに、工程５０８において、この方法は循環した順番の選択された順列でＬＣＤパネルの全ての水平スイッチ駆動することを含む。ここで、選択された順列のそれぞれ１つは走査線として使用される。
【００１７】
図６は、開示される実施例の図５において示された方法により駆動されるＬＣＤパネル６０３を含む電子装置６００を示す概略図である。電子装置６００はテレビ又はモニターである。電子装置はタイミングコントローラー１０１、レベルシフター１０２、ソース駆動機１０３、ＬＣＤパネル６０３及び複数の水平スイッチ６０１を含む。タイミングコントローラー１０１はデータ信号をソース駆動機１０３に送信し、ゲート制御信号をＬＣＤパネル６０３のゲート駆動機６０２に送信する。ソース駆動機１０３はデータ信号をデジタル信号からアナログ信号に変換し、アナログ信号を水平スイッチ６０１に送信する。タイミングコントローラー１０１はパネル制御信号をレベルシフター１０２へ送信する。レベルシフター１０２はパネル制御信号を増幅し、これらを水平スイッチ６０１に送信する。
【００１８】
それぞれの水平スイッチ６０１は複数のパネル制御信号を受信し、データ線６１１のような１又は複数のデータ線に接続される。水平スイッチ６０１はアナログデータ信号を対応するデータ線に送るのを可能にする。ゲート駆動機６０２は、各走査線を走査する期間中にアナログデータ信号をＬＣＤパネル６０３の画素に入れるためにゲート制御信号を走査信号に変換する。いくつかの他の公開された実施例において、レベルシフター１０２はＬＣＤパネル６０３に組み込むことができる。
【００１９】
上記の実施例に見られるように、本明細書で開示されるＬＣＤパネルの駆動方法は、各走査線のパネル制御信号の時系列を変えることによって均一性の問題を解決することができる。これによって、輝度のばらつきが肉眼で区別できない程度に減少するように、縦線間の輝度のばらつきは複数の走査線間で解消される。
【００２０】
本発明の他の態様は本明細書に開示される発明を考慮することにより当業者に明らかであろう。明細書及び例は単に一例であり、本発明の本来の範囲及び精神は特許請求の範囲によって示される。
【図面の簡単な説明】
【００２１】
【図１】図１は、低解像度のＬＴＰＳ  ＬＣＤパネルの駆動回路の一部を示す概略図である。
【図２】図２は、図１のパネル制御信号の従来の時系列を示す。
【図３】図３は、高解像度ＬＴＰＳ  ＬＣＤパネルの駆動回路の一部を示す概略図である。
【図４】図４は、本発明の実施例のパネル制御信号の時系列を示す。
【図５】図５は、本発明の実施例のＬＣＤパネルを駆動するための流れを示すフローチャートである。
【図６】図６は、図５で示される方法によって駆動されるＬＣＤパネルを含む電子装置を示す概略図である。
【符号の説明】
【００２２】
１０１  タイミングコントローラー
１０２  レベルシフター
１０３  ソース駆動機
１０４  水平スイッチ
１０５  水平スイッチ
１１０  アナログデータ信号
１１１  アナログデータ信号
５０２  順列を選択する工程
５０６  データ写像を調整する工程
５０８  水平スイッチを駆動する工程
６０１  水平スイッチ
６０２  ゲート駆動機
６０３  ＬＣＤパネル
６１１  データ線
【図１】
2006119602.tif 000005
【図２】
2006119602.tif 000006
【図３】
2006119602.tif 000007
【図４】
2006119602.tif 000008
【図５】
2006119602.tif 000009
【図６】
2006119602.tif 000010